(57)【要約】【課題】キャビネットの側板近傍において、安価に引出を複数方向から前後移動可能に支持することができるキャビネットにおける引出の取付構造を提供すること。【解決手段】正面側に向けて開口するキャビネット１と、キャビネット１内に前後方向を向くレールを介して前後方向に移動自在に配置される引出８と、を備えるキャビネット１における引出８の取付構造であって、引出８の一側は、キャビネット１の一方の側板２に固着された第１レール１３に摺動可能に支持され、引出８の他側は、側板２に取り付けられたレール取付部材１５に装着された、第２レール１４に摺動可能に支持されること。【選択図】図３
2010227190.tif 000002
【特許請求の範囲】
【請求項１】
正面側に向けて開口するキャビネットと、該キャビネット内に前後方向を向くレールを介して前後方向に移動自在に配置される引出と、を備えるキャビネットにおける引出の取付構造であって、
前記引出の一側は、前記キャビネットの一方の側板に固着された第１レールに摺動可能に支持され、前記引出の他側は、前記側板に取り付けられたレール取付部材に装着された、第２レールに摺動可能に支持されることを特徴とするキャビネットにおける引出の取付構造。
【請求項２】
前記レール取付部材は、前記側板に対して取付台座を介して嵌着されることを特徴とする請求項１に記載のキャビネットにおける引出の取付構造。
【請求項３】
前記第２レールは、前記キャビネット前部に設けられた支持部材によって支持されることを特徴とする請求項１または２に記載のキャビネットにおける引出の取付構造。
【発明の詳細な説明】
【技術分野】
【０００１】
本発明は、正面側に向けて開口するキャビネットと、該キャビネット内に前後方向を向くレールを介して前後方向に移動自在に配置される引出と、を備えるキャビネットにおける引出の取付構造に関する。
【背景技術】
【０００２】
従来、加熱調理器付きキャビネット（キャビネット）としては、底壁とこの底壁の左右縁部に連設された側壁と、これら底壁と側壁との前縁部及び後縁部とに取り付けられた前後一対の枠体と、から構成される前後方向に長寸の引出用ガイド体をキャビネットの側壁（側板）の内側面側に配置し、引出用ガイド体の一方の側壁と加熱調理器付きキャビネットとの側壁とを螺着することによって、引出用ガイド体をキャビネットの側壁に固定している。この引出用ガイド体の両側壁の内側面には、前後方向を向くガイドレールが設けられており、一側方側にキャビネットの側壁が設けられていない場合であっても、引き出しを左右のガイドレールによって前後自在に配置させることができるようになっているものがある（例えば、特許文献１参照）。
【先行技術文献】
【特許文献】
【０００３】
【特許文献１】特許３３９４６４３号公報（第２頁、第２図）
【発明の概要】
【発明が解決しようとする課題】
【０００４】
しかしながら、特許文献１にあっては、ガイドレールを引出用ガイド体の側壁に設けるために、引出用ガイド体を前後方向に長寸に形成せざるを得ず、引出用ガイド体の製造コストが嵩んでしまうという問題があった。
【０００５】
本発明は、このような問題点に着目してなされたもので、キャビネットの側板近傍において、安価に引出を複数方向から前後移動可能に支持することができるキャビネットにおける引出の取付構造を提供することを目的とする。
【課題を解決するための手段】
【０００６】
前記課題を解決するために、本発明のキャビネットにおける引出の取付構造は、
正面側に向けて開口するキャビネットと、該キャビネット内に前後方向を向くレールを介して前後方向に移動自在に配置される引出と、を備えるキャビネットにおける引出の取付構造であって、
前記引出の一側は、前記キャビネットの一方の側板に固着された第１レールに摺動可能に支持され、前記引出の他側は、前記側板に取り付けられたレール取付部材に装着された、第２レールに摺動可能に支持されることを特徴としている。
この特徴によれば、第２レールを取り付けるための取付部をキャビネットの他方の側板に引出を支持するための第２レールを配備できない場合であっても、第１レールと、側板に取り付けたレール取付部材に装着された第２レールとによって安価に引出を前後方向に移動可能に支持することができる。
【０００７】
本発明のキャビネットにおける引出の取付構造は、
前記レール取付部材は、前記側板に対して取付台座を介して嵌着されることを特徴としている。
この特徴によれば、螺子等を使用する必要が無く、容易且つ速やかにレール取付部材の側板への取り付けを行うことができる。
【０００８】
本発明のキャビネットにおける引出の取付構造は、
前記第２レールは、前記キャビネット前部に設けられた支持部材によって支持されることを特徴としている。
この特徴によれば、引出を前方に引き出した際に、第２レールに引出の荷重が掛かることで発生する引出の前方への傾斜や撓みを防止することができる。
【図面の簡単な説明】
【０００９】
【図１】実施例１におけるキャビネットにおける引出の取付構造を示す分解斜視図である。
【図２】キャビネットにおける支持部材を示す一部破断拡大断面図である。
【図３】キャビネットにおけるレール取付部材を示す一部拡大断面図である。
【図４】図２におけるＡ−Ａ断面図である。
【図５】実施例２におけるキャビネットにおけるレール取付部材を示す一部拡大断面図である。
【発明を実施するための形態】
【００１０】
本発明に係るキャビネットにおける引出の取付構造を実施するための形態を実施例に基づいて以下に説明する。
【実施例１】
【００１１】
実施例に係るキャビネットにおける引出の取付構造につき、図１から図４を参照して説明する。尚、本実施例では、図２における紙面右側をキャビネットの右側とし、図４における紙面右側をキャビネットの正面側として説明する。図１の符号１は、本発明の適用されたキャビネットである。このキャビネット１は、左右に設けられた側板２（左側の側板は図示せず）と、背板３と、両側板２と背板３とによって支持される天板４とを備えて正面側に向かって開口する構成となっている。
【００１２】
また、両側板２の前端上部間には上杆材５が、上杆材５の下方には下杆材６が、それぞれ渡設されている。更に、上杆材５と下杆材６との間の空間は、仕切板７によって左右に仕切られており、この上杆材５と下杆材６と右側方の側板２と仕切板７とによって囲まれた空間は、引出８がキャビネット１の正面側から挿入される引出開口部９に形成されている。引出開口部９からキャビネット１内に挿入することで、引出８はキャビネット１内に収納配置される。尚、特に図示しないが、上杆材５と下杆材６と左側方の側板と仕切板７によって囲まれた空間にも、引出や組込型加熱機器がキャビネット１の正面側から挿入されて配置されるようになっている。
【００１３】
この引出８は、図１に示すように、上方に開口する箱状に形成され、前後方向に長寸に形成された引出本体１０と、引出本体１０の正面に取り付けられた前板１１と、引出本体１０の左右側部に引出本体１０の前後方向に沿って取り付けられた引出側レール１２と、から構成されている。
【００１４】
引出側レール１２は、図２及び図４に示すように、引出本体１０の側面に当接する垂直片１２ａと、垂直片１２ａの下端部から引出本体１０の内側方に向かって延設された螺着片１２ｂと、垂直片１２ａの上端部から引出本体１０の外側方に向かって延設された摺動片１２ｃと、垂直片１２ａの後端部に引出本体１０の外側方を向く枢軸によって回動自在に枢支されたローラ１２ｄと、によって構成されている。そして、これら引出側レール１２は、螺着片１２ｂの上面を引出本体１０の底面に当接させて螺着することで、引出本体１０への取り付けがなされている。
【００１５】
一方、キャビネット１内に配置された引出８の右側方の側板２の左側面には、前後方向に長寸に形成された第１レール１３が取り付けられている。この第１レール１３は、側板２に螺着により取り付けられる垂直片１３ａと、垂直片１３ａの上下端部から引出８に向けて延設されたガイド片１３ｂと、垂直片１３ａの前端部に引出本体１０を向く枢軸によって回動自在に枢支されたローラ１３ｃと、から構成されている。
【００１６】
また、引出８の左側方には、垂直片１４ａとガイド片１４ｂとローラ１４ｃとを備えた第１レール１３と同一構成の第２レール１４が、右側方の側板２から延設されたレール取付部材１５に装着された状態で第１レール１３と対向配置されている。そして、引出８は、図２及び図３に示すように、両ローラ１２ｄは第１レール１３及び第２レール１４の下側のガイド片１３ｂ，１４ｂに支持されており、両摺動片１２ｃはローラ１３ｃ，１４ｃに支持されている。
【００１７】
更に、引出８の前板１１の正面には、使用者が把持するための把手１１ａが取り付けられている。この把手１１ａを使用者が把持して引出８に前後方向に力を加えることで、引出８は、両ローラ１２ｄの第１レール１３及び第２レール１４の下側のガイド片１３ｂ，１４ｂ上での回動と、両摺動片１２ｃの回動するローラ１３ｃ，１４ｃ上での摺動と、によってキャビネット１の内部と正面側とを前後方向に移動可能となっている。
【００１８】
以降、第１レール１３と対向配置された第２レール１４のキャビネット１に対しての取り付けについて説明する。前述したように第２レール１４には、図２〜図４に示すように、後端部にはレール取付部材１５が装着され、前端部には支持部材１６が取り付けられている。具体的には、このレール取付部材１５は、引出本体１０の左右幅寸法よりも長寸の左右幅寸法を有する延設部１５ａと、延設部１５ａの左端部から上方に延設された装着部１５ｂと、から主に構成される正面視Ｌ字状に形成されている。
【００１９】
このうち装着部１５ｂは、右側面に第２レール１４の垂直片１４ａの左側面を当接させた後に螺着することで、第２レール１４の装着がなされている。また、延設部１５ａは、左端部から右端部にかけて上下幅寸法が長寸となる略台形状に形成されており、右端部にはレール取付部材１５を側板２に取り付けるための下向きフック状の係止片１５ｃが設けられている。
【００２０】
一方、右側方の側板２の第１レール１３の後端部下方には、レール取付部材１５を側板２に取り付けるための本発明における取付台座としての嵌着バックル１７が取り付けられている。この嵌着バックル１７は、レール取付部材１５の右端部の前後幅寸法と略同一の前後幅寸法を有する側面視方形状に形成されている。更に、嵌着バックル１７の右上端部には、上方と右側方に開口する嵌着凹部１７ａが凹設されている。この嵌着凹部１７ａと側板２の内側面との間の左右幅寸法は、係止片１５ｃが上方から締り嵌め可能な寸法に形成されている。
【００２１】
更に、支持部材１６は、上下方向に延設された支持片１６ａと、支持片１６ａの下端部から側方に延設された固定片１６ｂと、から構成される正面視略Ｌ字状に形成されている。このうち支持片１６ａは、右側面を第２レール１４の垂直片１４ａの左側面に当接させた後に螺着することで、第２レール１４の取り付けがなされている。
【００２２】
前述のように第２レール１４が装着されたレール取付部材１５は、図２及び図３に示すように、先ず、係止片１５ｃを嵌着バックル１７の嵌着凹部１７ａと側板２との間に上方から挿入することによって、係止片１５ｃを嵌着凹部１７ａに締り嵌めにより嵌着させ、側板２に対してレール取付部材１５を固定する。このとき、延設部１５ａの右端部と嵌着バックル１７の左側面とが当接する。
【００２３】
更に、図２及び図４に示すように、第２レール１４の前端部に取り付けられた支持部材１６は、レール取付部材１５の側板２への取り付けが完了することによって、支持片１６ａの左側面が仕切板７の右側面に当接するとともに、固定片１６ｂの底面が下杆材６の上面に当接する。この状態で固定片１６ｂと下杆材６とを螺着することで第２レール１４の前後方向への移動が規制され、レール取付部材１５の嵌着バックル１７に対する位置が固定される。尚、支持部材１６の仕切板７と下杆材６とへの当接によって、第２レール１４の前端部が下方及び左側方に向けて撓んでしまうことが防止されている。
【００２４】
更に尚、図２に示すように、上述のように第２レール１４がキャビネット１内に配置されることで、第２レール１４の後端部はレール取付部材１５によって片持ち支持されることとなるが、レール取付部材１５にかかる引出８の荷重は延設部１５ａの右端部が嵌着バックル１７の左側面に当接することによって支持されるので、係止片１５ｃと嵌着ブラケット１７とにかかる荷重が軽減され、係止片１５ｃの嵌合がレール取付部材１５にかかる荷重によって解除されてしまうことを防止している。
【００２５】
以上、本実施例におけるキャビネット１における引出８の取付構造においては、正面側に向けて開口するキャビネット１と、キャビネット１内に前後方向を向くレールを介して前後方向に移動自在に配置される引出８と、を備えるキャビネット１における引出８の取付構造であって、引出８の右側面は、キャビネット１の右側方の側板２に固着された第１レール１３に摺動可能に支持され、引出の左側面は、右側方の側板２に取り付けられたレール取付部材１５に装着された、第２レール１４に摺動可能に支持されることで、第２レール１４を取り付けるための取付部をキャビネット１の左側方の側板に引出８を支持するための第２レール１４を配備できない場合であっても、第１レール１３と、右側方の側板２に取り付けたレール取付部材１５に装着された第２レール１４とによって安価に引出８を前後方向に移動可能に支持することができる。
【００２６】
また、レール取付部材１５は、右側方の側板２に対して嵌着されるので、螺子等を使用する必要が無く、容易且つ速やかにレール取付部材１５の右側方の側板２への取り付けを行うことができる。
【００２７】
また、第２レール１４は、キャビネット１前部に設けられた支持部材１６によって支持されるので、引出８を前方に引き出した際に、第２レール１４に引出の荷重が掛かることで発生する引出８の前方への傾斜や撓みを防止することができる。
【実施例２】
【００２８】
次に、実施例２に係るキャビネットにおける引出の取付構造につき、図５を参照して説明する。尚、前記実施例と同一構成で重複する構成を省略する。
【００２９】
実施例１におけるレール取付部材１５は、係止片１５ｃを嵌着凹部１７ａと側板２との間に上方から挿入することによって、嵌着バックル１７に嵌着したが、例えば、図５に示すように、嵌着バックル１７の右上端部を前後方向に開口する切欠１７ｂに形成し、係止片１５ｃを正面側から切欠１７ｂに挿通させることでレール取付部材１５を嵌着バックル１７に係止させるようにしてもよい。このとき、第２レール１４は、固定片１６ｂと下杆材６との螺着のみで第１レール１３と対向配置がなされる。
【００３０】
以上、本発明の実施例を図面により説明してきたが、具体的な構成はこれら実施例に限れるものではなく、本発明の要旨を逸脱しない範囲における変更や追加があっても本発明に含まれる。
【００３１】
例えば、前記実施例では、引出８の右側面を第１レール１３によって支持し、引出８の左側面を第２レール１４によって支持したが、レール取付部材１５の延設部１５ａの上面と下杆材６とに第３レールを渡設し、第２レール１４に代えてこの第３レールによって引出８の底面を支持するようにしてもよい。
【００３２】
また、前記実施例では、第２レール１４の後端部を右側方の側板２に取り付けられたレール取付部材１５によって支持し、前端部を支持部材１６を介して仕切板７と下杆材６とによって支持したが、仕切板７と下杆材６を備えないキャビネットの場合には、第２レール１４の前端部と後端部とを、ともに側板２に取り付けたレール取付部材１５によって支持するようにしてもよい。
【００３３】
また、前記実施例では、ローラ１２ｄ，１３ｃ，１４ｃの回動によって引出８をキャビネット１の内部と正面側とを前後方向に移動可能としたが、引出８がキャビネット１の内部と正面側とを前後方向に移動可能であれば第１レール１３と第２レール１４との構成は特に限定せず、例えば、第１レール１３及び第２レール１４はローラ１２ｄ，１３ｃ，１４ｃを有さず、第１レール１３と第２レール１４とが引出側レール１２をガイド片１３ｂ，１４ｂによって上下方向から挟持しているだけの構成であってもよい。
【００３４】
また、前記実施例１では、レール取付部材１５の係止片１５ｃを嵌着バックル１７の嵌着凹部１７ａと側板２との間に挿入して締り嵌めにより嵌着したことで、レール取付部材１５を嵌着バックル１７を介して側板２に取り付けたが、レール取付部材１５は、側板２に対して直接螺子等によって固着してもよい。
【符号の説明】
【００３５】
１                キャビネット
８                引出
９                引出開口部
１０              引出本体
１２              引出側レール
１３              第１レール
１４              第２レール
１５              レール取付部材
１６              支持部材
１７              係止バックル（取付台座）
【図１】
2010227190.tif 000003
【図２】
2010227190.tif 000004
【図３】
2010227190.tif 000005
【図４】
2010227190.tif 000006
【図５】
2010227190.tif 000007